(57)【特許請求の範囲】
【請求項１】
並列された複数本の電線と、前記複数本の電線の両端にそれぞれ設けられる第一コネクタおよび第二コネクタと、を備えたコネクタ付きケーブルであって、
前記第一コネクタは、その内部に収容される第一基板と、前記第一基板と接続されるコネクタプラグとを備え、
前記第二コネクタは、その内部に収容される第二基板と、前記第二基板と接続されるコネクタプラグとを備え、
前記第一基板および前記第二基板は、それぞれ、その一端側に並列配置されて前記複数本の電線が接続される複数の第一の接点を有し、
前記複数の第一の接点は、前記第一基板の前記複数の第一の接点の並列順と前記第二基板の前記複数の第一の接点の並列順とが前記複数本の電線を挟んで鏡面対称となるように、並列配置され、
前記複数本の電線は、高速差動信号を送受信する高速差動信号線と、シングルエンド信号を送受信するシングルエンド信号線とを含み、
前記シングルエンド信号線は、前記複数の第一の接点のうち、前記第一基板の一面側および前記第二基板の一面側に配置された第一の接点に接続されるとともに、前記高速差動信号線は前記第一基板の他面側および前記第二基板の他面側に配置された第一の接点に接続されている、コネクタ付きケーブル。
【請求項２】
前記第一基板および前記第二基板は、それぞれ、その他端側に並列配置されて前記コネクタプラグが備える複数のコンタクトピンと接続される複数の第二の接点を有し、
前記複数の第一の接点と前記複数の第二の接点との間は電気回路により連結され、
前記第一基板および前記第二基板を前記複数本の電線が接続される側とは反対側からそれぞれ見たときに、前記第一基板の前記複数の第二の接点の並列順と前記第二基板の前記複数の第二の接点の並列順とが同一となるように前記複数の第二の接点が並列配置されている、請求項１に記載にコネクタ付きケーブル。
【請求項３】
前記複数の第一の接点のうち前記他面側に配置されて前記高速差動信号線と接続される前記第一の接点は、少なくとも３対の接点対を含み、
前記複数の第二の接点は、前記シングルエンド信号線と接続されるシングルエンド信号用接点と、前記高速差動信号線と接続される高速信号用接点とを含み、
前記少なくとも３対の接点対のうち、両端の２対の接点対は前記第一基板および前記第二基板の前記一面側あるいは前記他面側のいずれか一方に配置された複数の高速信号用接点と電気回路により連結され、前記両端の接点対に挟まれた少なくとも１対の接点対は前記両端の接点対が連結された前記高速信号用接点が配置された面とは反対側の面に配置された複数の高速信号用接点と電気回路により連結されている、請求項２に記載のコネクタ付きケーブル。
【請求項４】
前記複数の高速信号用接点は、前記シングルエンド信号用接点を間に挟んで配置されている、請求項３に記載のコネクタ付きケーブル。
【請求項５】
前記高速差動信号線は、同軸電線から構成されている、請求項１から請求項４のいずれか一項に記載のコネクタ付きケーブル。
【発明の詳細な説明】
【技術分野】
【０００１】
本発明は、複数本の電線および当該複数本の電線の両端に取り付けられるコネクタ基板を備えたコネクタ付きケーブルに関する。
【背景技術】
【０００２】
特許文献１には、複数本の電線と、当該複数本の電線の両端に取り付けられた同一形状のコネクタ基板とを備えたケーブルが開示されている。複数本の電線は、コネクタ基板の表面側接続端子に接続される第一群とコネクタ基板の裏面側接続端子に接続される第二群とに分割され、ケーブルの一方の端部においては第一群の電線と第二群の電線とが交差されてコネクタ基板に取り付けられている。
【先行技術文献】
【特許文献】
【０００３】
【特許文献１】特開２０１３−２０６６１２号公報
【発明の概要】
【発明が解決しようとする課題】
【０００４】
特許文献１においては、電線の両端に同一形状のコネクタ基板を取り付けるために、ケーブルの一方の端部において第一群の電線と第二群の電線とを交差させる必要があるため、電線を交差するための工程が必要となり生産性に劣る。また、第一群の電線と第二群の電線とを交差させると、電線間で線長差が生じる場合がある。このように、線長差のある電線を２本一対とした電線対により差動信号伝送を行うと、電線対内のスキューが生じてしまう。
【０００５】
本発明は、製造が容易で生産性に優れるとともにスキューの生じることがないコネクタ付きケーブルの提供を目的とする。
【課題を解決するための手段】
【０００６】
本発明によるコネクタ付きケーブルは、
並列された複数本の電線と、前記複数本の電線の両端にそれぞれ設けられる第一コネクタおよび第二コネクタと、を備えたコネクタ付きケーブルであって、
前記第一コネクタは、その内部に収容される第一基板と、前記第一基板と接続されるコネクタプラグとを備え、
前記第二コネクタは、その内部に収容される第二基板と、前記第二基板と接続されるコネクタプラグとを備え、
前記第一基板および前記第二基板は、それぞれ、その一端側に並列配置されて前記複数本の電線が接続される複数の第一の接点を有し、
前記複数の第一の接点は、前記第一基板の前記複数の第一の接点の並列順と前記第二基板の前記複数の第一の接点の並列順とが前記複数本の電線を挟んで鏡面対称となるように、並列配置されている。
【発明の効果】
【０００７】
本発明によれば、製造が容易で生産性に優れるとともにスキューの生じることがないコネクタ付きケーブルを提供することができる。
【図面の簡単な説明】
【０００８】
【図１】本発明によるコネクタ付きケーブルの一例を示す斜視図である。
【図２】（ａ）は図１に示すコネクタ付きケーブルのＩＩ−ＩＩ線断面図であり、（ｂ）は（ａ）に示される同軸電線の拡大断面図である。
【図３】図１に示すコネクタ付きケーブルのＩＩＩ−ＩＩＩ線断面図である。
【図４】（ａ）は第一コネクタに備わるコネクタ基板をケーブル側から見た模式図であり、（ｂ）は第二コネクタに備わるコネクタ基板をケーブル側から見た模式図である。
【図５】ケーブル内の各電線と接続されるコネクタ基板上の第一の接点の配置例と、第一の接点と電気回路により接続されるコネクタ基板上の第二の接点の配置例とを示す概略平面図である。
【図６】第一コネクタおよび第二コネクタのケーブル接続部と反対側のプラグ先端部を示す正面図である。
【発明を実施するための形態】
【０００９】
〈本発明の実施形態の概要〉
最初に本発明の実施形態の概要を説明する。
本発明にかかるケーブルの一実施形態は、
（１）並列された複数本の電線と、前記複数本の電線の両端にそれぞれ設けられる第一コネクタおよび第二コネクタと、を備えたコネクタ付きケーブルであって、
前記第一コネクタは、その内部に収容される第一基板と、前記第一基板と接続されるコネクタプラグとを備え、
前記第二コネクタは、その内部に収容される第二基板と、前記第二基板と接続されるコネクタプラグとを備え、
前記第一基板および前記第二基板は、それぞれ、その一端側に並列配置されて前記複数本の電線が接続される複数の第一の接点を有し、
前記複数の第一の接点は、前記第一基板の前記複数の第一の接点の並列順と前記第二基板の前記複数の第一の接点の並列順とが前記複数本の電線を挟んで鏡面対称となるように、並列配置されている。
この構成によれば、複数本の電線の配列順を交差させることなくその両端を第一コネクタの第一基板に備わる複数の第一の接点と第二コネクタの第二基板に備わる複数の第一の接点とに接続することができる。そのため、製造が容易で生産性に優れたコネクタ付きケーブルを提供することができる。また、複数本の電線間の線長差が生じることがないため、差動信号伝送を行う電線対内においてスキューが発生することを防止することができる。
【００１０】
（２）前記第一基板および前記第二基板は、それぞれ、その他端側に並列配置されて前記コネクタプラグが備える複数のコンタクトピンと接続される複数の第二の接点を有し、
前記複数の第一の接点と前記複数の第二の接点との間は電気回路により連結され、
前記第一基板および前記第二基板を前記複数本の電線が接続される側とは反対側からそれぞれ見たときに、前記第一基板の前記複数の第二の接点の並列順と前記第二基板の前記複数の第二の接点の並列順とが同一となるように前記複数の第二の接点が並列配置されていることが好ましい。
この構成によれば、第一基板と第二基板とにそれぞれ接続されるコネクタプラグを同一のものとすることができ、第一コネクタおよび第二コネクタを一端側と他端側の区別なく接続先である電気機器のレセプタクルに接続させることができる。
【００１１】
（３）前記複数本の電線は、高速差動信号を送受信する高速差動信号線と、シングルエンド信号を送受信するシングルエンド信号線とを含み、
前記シングルエンド信号線は、前記複数の第一の接点のうち、前記第一基板の一面側および前記第二基板の一面側に配置された第一の接点に接続されるとともに、前記高速差動信号線は前記第一基板の他面側および前記第二基板の他面側に配置された第一の接点に接続されていることが好ましい。
この構成によれば、レセプタクルにコネクタを接続するときにコネクタの天地をいずれにしても接続可能である。
【００１２】
（４）前記複数の第一の接点のうち前記他面側に配置されて前記高速差動信号線と接続される前記第一の接点は、少なくとも３対の接点対を含み、
前記複数の第二の接点は、前記シングルエンド信号線と接続されるシングルエンド信号用接点と、前記高速差動信号線と接続される高速信号用接点とを含み、
前記少なくとも３対の接点対のうち、両端の２対の接点対は前記第一基板および前記第二基板の前記一面側あるいは前記他面側のいずれか一方に配置された高速信号用接点と電気回路により連結され、前記両端の接点対に挟まれた少なくとも１対の接点対は前記両端の接点対が連結された前記高速信号用接点が配置された面とは反対側の面に配置された高速信号用接点と電気回路により連結されていることが好ましい。
この構成によれば、コネクタの天地をいずれにしてもレセプタクルに接続可能であり、かつコネクタの幅を狭くできる。
【００１３】
（５）前記複数の高速信号用接点は、前記シングルエンド信号用接点を間に挟んで配置されていることが好ましい。
この構成によれば、高速信号のクロストークを抑制する点で好ましい。
【００１４】
（６）前記高速差動信号線は、同軸電線から構成されていることが好ましい。
この構成によれば、ケーブルを柔軟にすることができる。
【００１５】
〈本発明の実施形態の詳細〉
以下、本発明に係るコネクタ付きケーブルの実施形態の例を、図面を参照して説明する。
図１は、コネクタ付きケーブル１０の一例を示す斜視図である。図１に示すように、本実施形態に係るコネクタ付きケーブル１０は、例えば、電子機器（図示省略）同士を接続するのに用いることができ、ケーブル１１の両端にコネクタ２０としてそれぞれ第一コネクタ２１および第二コネクタ２２が接続されている。第一コネクタ２１は、ケーブル１１の一端側の端部（図１において左端）に取り付けられており、第二コネクタ２２は、ケーブル１１の他端側の端部（図１において右端）に取り付けられている。
なお、図１の上側を第一コネクタ２１および第二コネクタ２２の上面とし、反対側を下面とする。
【００１６】
第一コネクタ２１は、その内部に平板状の第一基板２３Ａを有している。また、第二コネクタ２２は、その内部に平板状の第二基板２３Ｂを有している。第一基板２３Ａおよび第二基板２３Ｂは、それぞれ、ケーブル１１側の端部において第一基板２３Ａおよび第二基板２３Ｂの上面および下面にそれぞれ並列配置された複数の接続端子（第一の接点の一例）３０Ａ，３０Ｂを有している。また、第一基板２３Ａおよび第二基板２３Ｂは、それぞれ、ケーブル１１側とは反対の端部において上面および下面にそれぞれ並列配置された複数の接続端子（第二の接点の一例）６０Ａ，６０Ｂ（図３，図５参照）を有している。
【００１７】
第一コネクタ２１の一端側にはコネクタプラグ２４が配置されている。コネクタプラグ２４の筐体として、略長円筒状の金属シェル２４Ａが設けられている。金属シェル２４Ａの内部にはピン保持板２５が収容されている。ピン保持板２５は、電子機器側のレセプタクル（図示省略）内のコンタクトピンと接続されるコンタクトピン７０Ａを保持する部材である。
また、第二コネクタ２２の他端側にもコネクタプラグ２４が配置されている。コネクタプラグ２４の筐体として、略長円筒状の金属シェル２４Ａが設けられている。金属シェル２４Ａの内部にはピン保持板２５が収容されている。ピン保持板２５は、電子機器側のレセプタクル（図示省略）内のコンタクトピンと接続されるコンタクトピン７０Ａを保持する部材である。後で詳述するが、本実施形態における第一コネクタ２１のコネクタプラグ２４と第二コネクタ２２のコネクタプラグ２４の形状や構成は同一である。
【００１８】
図２（ａ）は、図１に示されるケーブル１１のＩＩ−ＩＩ線断面図であり、図２（ｂ）は、同軸電線１５の断面図である。
図２（ａ）に示されるように、ケーブル１１としては、例えば、中心に配置された８本の絶縁電線５０と、その周囲に配置された８本の同軸電線１５と、テープ材料（例えば、紙やポリエステル）からなる押さえ巻１４と、金属素線（例えば、錫メッキ軟銅線）の編組からなるシールド（編組）１３と、ポリ塩化ビニルからなるシース１２とからなるものを採用できる。絶縁電線５０は、本実施形態においては例えばシングルエンド信号（単線により伝送可能な信号）を送受信するシングルエンド信号線であって、中心導体５１と、中心導体５１を覆う外被５２とを有している。
【００１９】
本実施形態において、同軸電線１５は、２本一対で高速差動信号を送受信する高速差動信号線である。一対の同軸電線１５から構成される同軸電線対として、本例においては例えば四対の同軸電線対１５Ａ，１５Ｂ，１５Ｃ，１５Ｄがケーブル１１内に収容されている。図２（ｂ）に示されるように、各同軸電線１５は、中心導体１６と、中心導体１６を覆う絶縁体１７と、絶縁体１７の外側に配置された外部導体１８と、外部導体１８を覆う外被１９とを有している。
【００２０】
図３は、図１に示される第一コネクタ２１のＩＩＩ−ＩＩＩ線断面図である。
図３に示されるように、ケーブル１１の端部においてシース１２等が除去されて同軸電線１５および絶縁電線５０が露出されている。同軸電線１５の端部においては中心導体１６が露出されており、当該中心導体１６は第一基板２３Ａの上面２３Ａ１側に配置されている上面側接続端子３０Ａに例えば半田付けにより接続されている。また、絶縁電線５０の端部においては中心導体５１が露出されており、当該中心導体５１は第一基板２３Ａの下面２３Ａ２側に配置されている下面側接続端子３０Ｂに例えば半田付けにより接続されている。
【００２１】
中心導体１６が第一基板２３Ａの上面側接続端子３０Ａに接続された状態の同軸電線１５は、第一樹脂層２６により樹脂封止されている。同様に、中心導体５１が第一基板２３Ａの下面側接続端子３０Ｂに接続された状態の絶縁電線５０も、第一樹脂層２６により樹脂封止されている。そして、同軸電線１５および絶縁電線５０が第一基板２３Ａに接続された状態で、第一基板２３Ａの上面２３Ａ１および下面２３Ａ２と同軸電線１５および絶縁電線５０の周囲とが第二樹脂層２７により樹脂封止されている。
【００２２】
第二樹脂層２７により樹脂封止された第一基板２３Ａの一端側には、コネクタプラグ２４を構成する金属シェル２４Ａが配置されている。金属シェル２４Ａの内部に収容されているピン保持板２５は、その上面側に並列配置された複数のコンタクトピン７０Ａを備えているとともに、その下面側に並列配置された複数のコンタクトピン７０Ｂを備えている。ピン保持板２５の一端側と反対側の端部は、第二樹脂層２７から露出した第一基板２３Ａと接触している。そして、第一基板２３Ａの上面側接続端子６０Ａとピン保持板２５上面のコンタクトピン７０Ａとが電気的に接続され、第一基板２３Ａの下面側接続端子６０Ｂとピン保持板２５下面のコンタクトピン７０Ｂとが電気的に接続されている。
【００２３】
さらに、金属シェル２４Ａの他端側の一部、第一基板２３Ａおよびケーブル１１のシース１２先端部にかけて第三樹脂層２８により第一コネクタ２１全体が樹脂封止されている。金属シェル２４Ａの一端側は第三樹脂層２８から露出されて、コネクタプラグ２４の筐体として機能する。第三樹脂層２８の他端側においては、ケーブル１１への応力を低減するための樹脂製のストレインリリーフ２９がシース１２の周囲を覆っている。
【００２４】
なお、第二コネクタ２２の構成は、第一基板２３Ａに代わって第二基板２３Ｂが収容される点を除いて、図３に示される第一コネクタ２１と同一であるため、詳細な説明および図示は省略する。
【００２５】
図４（ａ）は第一コネクタ２１の第一基板２３Ａをケーブル１１側から見た模式図であり、図４（ｂ）は第二コネクタ２２の第二基板２３Ｂをケーブル１１側から見た模式図である。
図４（ａ）に示すように、第一コネクタ２１の第一基板２３Ａをケーブル１１側から見ると（図１の矢視Ａ）、第一基板２３Ａの上面２３Ａ１には複数の上面側接続端子３０Ａが配置されている。具体的には、右から左に向かって順に、第１接続端子３１，第２接続端子３２，第３接続端子３３，第４接続端子３４，第５接続端子３５，第６接続端子３６，第７接続端子３７，第８接続端子３８が配置されている。また、第一基板２３Ａの下面２３Ａ２には、複数の下面側接続端子３０Ｂが配置されている。具体的には、上面側接続端子３０Ａと同様に右から左に向かって順に、第９接続端子３９，第１０接続端子４０，第１１接続端子４１，第１２接続端子４２，第１３接続端子４３，第１４接続端子４４，第１５接続端子４５，第１６接続端子４６が配置されている。
【００２６】
図４（ｂ）に示すように、第二コネクタ２２の第二基板２３Ｂをケーブル１１側から見ると（図１の矢視Ｂ）、第二基板２３Ｂの上面２３Ｂ１には、複数の上面側接続端子３０Ａが配置されている。具体的には、第一基板２３Ａとは逆に左から右に向かって順に、第１接続端子３１，第２接続端子３２，第３接続端子３３，第４接続端子３４，第５接続端子３５，第６接続端子３６，第７接続端子３７，第８接続端子３８が配置されている。また、第二基板２３Ｂの下面２３Ｂ２には、複数の下面側接続端子３０Ｂが配置されている。具体的には、第一基板２３Ａとは逆に左から右に向かって順に、第９接続端子３９，第１０接続端子４０，第１１接続端子４１，第１２接続端子４２，第１３接続端子４３，第１４接続端子４４，第１５接続端子４５，第１６接続端子４６が配置されている。
【００２７】
このように、本実施形態においては、ケーブル１１の一端側である第一コネクタ２１の第一基板２３Ａの上面側接続端子３０Ａおよび下面側接続端子３０Ｂの並列順と、ケーブル１１の他端側である第二コネクタ２２の第二基板２３Ｂの上面側接続端子３０Ａおよび下面側接続端子３０Ｂの並列順とは、ケーブル１１を挟んで鏡面対称となるように配置されている。
【００２８】
図５（ａ）は、第一および第二基板２３Ａ，２３Ｂの上面２３Ａ１，２３Ｂ１の上面側接続端子３０Ａ，６０Ａの配置例を示す概略平面図であり、図５（ｂ）は、第一および第二基板２３Ａ，２３Ｂの下面２３Ａ２，２３Ｂ２の下面側接続端子３０Ｂ，６０Ｂの配置例を示す概略平面図である。なお、図５（ａ）は、第一基板２３Ａおよび第二基板２３Ｂを上方向から見たときの上面２３Ａ１，２３Ｂ１を示す図である。また、図５（ｂ）は、第一基板２３Ａおよび第二基板２３Ｂを、図５（ａ）に示される上面２３Ａ１，２３Ｂ１と同一方向（上面方向）から見たときの下面２３Ａ２，２３Ｂ２を示す図である。
上述の通り、８本の同軸電線１５は、高速の差動信号を伝送するために２本一対の同軸電線対から構成されており、図５（ａ）の上から下に順に、第一電線対１５Ａ，第二電線対１５Ｂ，第三電線対１５Ｃ，第四電線対１５Ｄが配置されている。これらの四対の同軸電線対１５Ａ〜１５Ｄの両端は、８本の同軸電線１５の配列順が交差することなく、第一基板２３Ａの上面側接続端子３０Ａと第二基板２３Ｂの上面側接続端子３０Ａとにそれぞれ接続されている。
【００２９】
具体的には、図５（ａ）において上端（図１の矢視Ａにおける右端）に配置された第一電線対１５Ａを構成する２本の同軸電線１５は第一基板２３Ａおよび第二基板２３Ｂの第１接続端子３１，第２接続端子３２にそれぞれ接続されている。第一電線対１５Ａの下に配置された第二電線対１５Ｂを構成する２本の同軸電線は、第一基板２３Ａおよび第二基板２３Ｂの第３接続端子３３，第４接続端子３４にそれぞれ接続されている。第二電線対１５Ｂの下に配置された第三電線対１５Ｃは、第一基板２３Ａおよび第二基板２３Ｂの第５接続端子３５，第６接続端子３６にそれぞれ接続されている。また、下端に配置された第四電線対１５Ｄは、第一基板２３Ａおよび第二基板２３Ｂの第７接続端子３７，第８接続端子３８にそれぞれ接続されている。
【００３０】
また、本実施形態においては、例えば８本の絶縁電線５０の両端は、その配列順が交差することなく、第一基板２３Ａの下面側接続端子３０Ｂ（下面側接続端子３９〜４６）と第二基板２３Ｂの下面側接続端子３０Ｂ（下面側接続端子３９〜４６）とにそれぞれ接続されている。
【００３１】
このように、高速差動信号線である同軸電線１５は、第一および第二基板２３Ａ，２３Ｂの上面２３Ａ１，２３Ｂ１側にそれぞれ配置された上面側接続端子３０Ａに接続され、一方、シングルエンド信号線である絶縁電線５０は、第一および第二基板２３Ａ，２３Ｂの下面２３Ａ２，２３Ｂ２側にそれぞれ配置された下面側接続端子３０Ｂに接続されている。そのため、本実施形態においては、複数本の電線１５，５０を第一基板２３Ａおよび第二基板２３Ｂの接続端子３０Ａ，３０Ｂへそれぞれ接続する際の配線作業が非常に容易である。
【００３２】
第一基板２３Ａの上面２３Ａ１上におけるケーブル１１との接続側と反対側には、上面側のコンタクトピン７０Ａ（図６参照）と接続される複数の上面側接続端子６０Ａが配置されている。具体的には、図５（ａ）の下から上に向かって順に、第１接続端子Ａ１，第２接続端子Ａ２，第３接続端子Ａ３，第４接続端子Ａ４，第５接続端子Ａ５，第６接続端子Ａ６，第７接続端子Ａ７，第８接続端子Ａ８，第９接続端子Ａ９，第１０接続端子Ａ１０，第１１接続端子Ａ１１，第１２接続端子Ａ１２が配置されている。すなわち、第一基板２３Ａをケーブル１１とは反対側から見ると（図５（ａ）の矢視Ｅ）、右から左に向かって順に、第１接続端子Ａ１〜第１２接続端子Ａ１２が配置されている構成となる。
【００３３】
また、第二基板２３Ｂの上面２３Ｂ１上におけるケーブル１１との接続側と反対側には、上面側のコンタクトピン７０Ａと接続される複数の上面側接続端子６０Ａが配置されている。具体的には、図５（ａ）の上から下に向かって順に、第１接続端子Ａ１，第２接続端子Ａ２，第３接続端子Ａ３，第４接続端子Ａ４，第５接続端子Ａ５，第６接続端子Ａ６，第７接続端子Ａ７，第８接続端子Ａ８，第９接続端子Ａ９，第１０接続端子Ａ１０，第１１接続端子Ａ１１，第１２接続端子Ａ１２が配置されている。すなわち、第二基板２３Ｂをケーブル１１とは反対側から見ると（図５（ａ）の矢視Ｆ）、第一基板２３Ａと同様に、右から左に向かって順に、第１接続端子Ａ１〜第１２接続端子Ａ１２が配置されている構成となる。
【００３４】
上面側接続端子６０Ａのうち、第１接続端子Ａ１および第１２接続端子Ａ１２は、接地用のグランド端子（ＧＮＤ）である。第２接続端子Ａ２と第３接続端子Ａ３は、高速信号送信用の端子（ＴＸ＋，ＴＸ−）である。第４接続端子Ａ４および第９接続端子Ａ９は、給電用の端子（ＶＢＵＳ）である。第５接続端子Ａ５は、通信制御（ＣＣ：Ｃｏｍｍｕｎｉｃａｔｉｏｎ  Ｃｏｎｔｒｏｌ）信号伝送用の端子（ＣＣ）である。第６接続端子Ａ６および第７接続端子Ａ７は、データ信号用の端子（Ｄ＋，Ｄ−）である。第８接続端子Ａ８は、予備用の端子（ＲＦＵ（Ｒｅｖｉｓｅｄ  ｆｏｒ  Ｆｕｔｕｒｅ  Ｕｓｅ））である。最後に、第１０接続端子Ａ１０と第１１接続端子Ａ１１は、高速信号受信用の端子（ＲＸ＋，ＲＸ−）である。
【００３５】
また、第一基板２３Ａの下面２３Ａ２上におけるケーブル１１との接続側と反対側には、下面側のコンタクトピン７０Ｂ（図６参照）と接続される複数の下面側接続端子６０Ｂが配置されている。具体的には、図５（ｂ）の上から下に向かって順に、第１接続端子Ｂ１，第２接続端子Ｂ２，第３接続端子Ｂ３，第４接続端子Ｂ４，第５接続端子Ｂ５，第６接続端子Ｂ６，第７接続端子Ｂ７，第８接続端子Ｂ８，第９接続端子Ｂ９，第１０接続端子Ｂ１０，第１１接続端子Ｂ１１，第１２接続端子Ｂ１２が配置されている。すなわち、第一基板２３Ａをケーブル１１とは反対側から見ると（図５（ｂ）の矢視Ｅ）、左から右に向かって順に、第１接続端子Ｂ１〜第１２接続端子Ｂ１２が配置されている構成となる。
【００３６】
一方、第二基板２３Ｂの下面２３Ｂ２上におけるケーブル１１との接続側と反対側には、下面側のコンタクトピン７０Ｂと接続される複数の下面側接続端子６０Ｂが配置されている。具体的には、図５（ｂ）の下から上に向かって順に、第１接続端子Ｂ１，第２接続端子Ｂ２，第３接続端子Ｂ３，第４接続端子Ｂ４，第５接続端子Ｂ５，第６接続端子Ｂ６，第７接続端子Ｂ７，第８接続端子Ｂ８，第９接続端子Ｂ９，第１０接続端子Ｂ１０，第１１接続端子Ｂ１１，第１２接続端子Ｂ１２が配置されている。すなわち、第二基板２３Ｂをケーブル１１とは反対側から見ると（図５（ｂ）の矢視Ｆ）、第一基板２３Ａと同様に、左から右に向かって順に、第１接続端子Ｂ１〜第１２接続端子Ｂ１２が配置されている構成となる。
【００３７】
下面側接続端子６０Ｂのうち、第１接続端子Ｂ１および第１２接続端子Ｂ１２は、接地用のグランド端子（ＧＮＤ）である。第２接続端子Ｂ２と第３接続端子Ｂ３は、高速信号送信用の端子（ＴＸ＋，ＴＸ−）である。第４接続端子Ｂ４および第９接続端子Ｂ９は、給電用の端子（ＶＢＵＳ）である。第５接続端子Ｂ５は、ＣＣ信号伝送用の端子（ＣＣ）である。第６接続端子Ｂ６および第７接続端子Ｂ７は、データ信号用の端子（Ｄ＋，Ｄ−）である。第８接続端子Ｂ８は、予備用の端子（ＲＦＵ）である。最後に、第１０接続端子Ｂ１０と第１１接続端子Ｂ１１は、高速信号受信用の端子（ＲＸ＋，ＲＸ−）である。
【００３８】
このように、本実施形態においては、第一基板２３Ａの一端側の接続端子６０Ａ，６０Ｂと第二基板２３Ｂの他端側の接続端子６０Ａ，６０Ｂとが、ケーブル１１が接続される側とは反対側（図５（ａ），（ｂ）の矢視Ｅおよび矢視Ｆ）から見て同一の並列順になるように配置されている。
【００３９】
上述のように並列配置されたケーブル１１側の上面側接続端子３０Ａは、コンタクトピン７０Ａ，７０Ｂ側の接続端子６０Ａ，６０Ｂと電気回路（導体）６５を介してそれぞれ以下のように連結されている。ここで、第一電線対１５Ａが接続される第１および第２接続端子３１，３２を第一接点対３０Ａ１とし、第二電線対１５Ｂが接続される第３および第４接続端子３１，３２を第二接点対３０Ａ２とし、第三電線対１５Ｃが接続される第５および第６接続端子３５，３６を第一接点対３０Ａ３とし、第四電線対１５Ｄが接続される第７および第８接続端子３８，３９を第四接点対３０Ａ４とする。
【００４０】
（第一基板２３Ａ側の連結構成例）
第一接点対３０Ａ１（ケーブル１１側の第１接続端子３１，第２接続端子３２）：コンタクトピン７０Ａ，７０Ｂ側の第１１接続端子Ａ１１，第１０接続端子Ａ１０（上面側接続端子６０Ａ）
第二接点対３０Ａ２（ケーブル１１側の第３接続端子３３，第４接続端子３４）：コンタクトピン７０Ａ，７０Ｂ側の第１０接続端子Ｂ１０，第１１接続端子Ｂ１１（下面側接続端子６０Ｂ）
第三接点対３０Ａ３（ケーブル１１側の第５接続端子３５，第６接続端子３６）：コンタクトピン７０Ａ，７０Ｂ側の第２接続端子Ｂ２，第３接続端子Ｂ３（下面側接続端子６０Ｂ）
第四接点対３０Ａ４（ケーブル１１側の第７接続端子３７，第８接続端子３８）：コンタクトピン７０Ａ，７０Ｂ側の第３接続端子Ａ３，第２接続端子Ａ２（上面側接続端子６０Ａ）
【００４１】
（第二基板２３Ｂ側の連結構成例）
第一接点対３０Ａ１（ケーブル１１側の第１接続端子３１，第２接続端子３２）：コンタクトピン７０Ａ，７０Ｂ側の第２接続端子Ａ２，第３接続端子Ａ３（上面側接続端子６０Ａ）
第二接点対３０Ａ２（ケーブル１１側の第３接続端子３３，第４接続端子３４）：コンタクトピン７０Ａ，７０Ｂ側の第３接続端子Ｂ３，第２接続端子Ｂ２（下面側接続端子６０Ｂ）
第三接点対３０Ａ３（ケーブル１１側の第５接続端子３５，第６接続端子３６）：コンタクトピン７０Ａ，７０Ｂ側の第１１接続端子Ｂ１１，第１０接続端子Ｂ１１（下面側接続端子６０Ｂ）
第四接点対３０Ａ４（ケーブル１１側の第７接続端子３７，第８接続端子３８）：コンタクトピン７０Ａ，７０Ｂ側の第１０接続端子Ａ１０，第１１接続端子Ａ１１（上面側接続端子６０Ａ）
【００４２】
上記の通り、第一および第二基板２３Ａ，２３Ｂのいずれにおいても四対の接点対３０Ａ１〜３０Ａ４のうち、両端の第一接点対３０Ａ１および第四接点対３０Ａ４は第一および第二基板２３Ａ，２３Ｂの上面２３Ａ１，２３Ａ２側に配置された上面側接続端子６０Ａと電気回路６５により連結されている。一方、両端の接点対３０Ａ１，３０Ａ４に挟まれた第二接点対３０Ａ２および第三接点対３０Ａ３は第一および第二基板２３Ａ，２３Ｂの下面２３Ａ２，２３Ｂ２側に配置された下面側接続端子６０Ｂと電気回路６５により連結されている。このように、本実施例においては、基板２３Ａ，２３Ｂの上下面（表裏）に、高速差動信号線１５の第一接点対３０Ａ１〜第四接点対３０Ａ４の接続先（接続端子６０Ａ，６０Ｂ）を振り分けている。高速差動信号線１５の接続先を基板２３Ａ，２３Ｂの両面に分けることで、それらの接続先が一面に並ぶよりも狭い幅でコネクタ２０を作製することができる。
【００４３】
また、第一および第二基板２３Ａ，２３Ｂの下面２３Ａ２，２３Ｂ２に並列配置されて絶縁電線５０と接続される下面側接続端子３０Ｂは、コンタクトピン７０Ａ，７０Ｂ側の接続端子６０Ａ，６０Ｂのうち、高速信号伝送用の接続端子（高速信号伝送用接点）である第２接続端子Ａ２，Ｂ２および第３接続端子Ａ３，Ｂ３と第１０接続端子Ａ１０，Ｂ１０と第１１接続端子Ａ１１，Ｂ１０との間に配置された第４接続端子Ａ４，Ｂ４から第９接続端子Ａ９，Ｂ９のいずれかと電気回路６５を介して連結されている。すなわち、本実施形態においては、高速信号用の接続端子（高速信号用接点）Ａ２，Ａ３，Ａ１０，Ａ１１，Ｂ２，Ｂ３，Ｂ１０，Ｂ１１は、シングルエンド信号用の接続端子（シングルエンド信号用接点）Ａ４〜Ａ９，Ｂ４〜Ｂ９を間に挟んで配置されている。
このように、本実施形態においては、高速信号用接点が離れて配置されるので、それらの間のクロストークを抑制する効果がある。
【００４４】
図６は、第一コネクタ２１のコネクタプラグ２４の先端部を示す正面図である。
上述の通り、ピン保持板２５に設けられたコンタクトピン７０Ａ，７０Ｂは第一基板２３Ａの接続端子６０Ａ，６０Ｂと接続されている。そのため、図６に示されるように、コンタクトピン７０Ａ，７０Ｂの並列順は、図５（ａ），（ｂ）に示される第一基板２３Ａの接続端子６０Ａ，６０Ｂの並列順と一致している。
【００４５】
すなわち、コネクタプラグ２４をケーブル１１とは反対側から見ると（図１の矢視Ｃ）、ピン保持板２５の上面２５Ａ側には、右から左に向かって順に、第１コンタクトピンＡ１（ＧＮＤ），第２コンタクトピンＡ２（ＴＸ＋），第３コンタクトピンＡ３（ＴＸ−），第４接コンタクトピンＡ４（ＶＢＵＳ），第５コンタクトピンＡ５（ＣＣ），第６コンタクトピンＡ６（Ｄ＋），第７コンタクトピンＡ７（Ｄ−），第８コンタクトピンＡ８（ＲＦＵ），第９コンタクトピンＡ９（ＶＢＵＳ），第１０コンタクトピンＡ１０（ＲＸ−），第１１コンタクトピンＡ１１（ＲＸ＋），第１２コンタクトピンＡ１２（ＧＮＤ）が配置されている。
【００４６】
また、ピン保持板２５の下面２５Ｂ側には、上面側のコンタクトピン７０Ａの並列順とは逆に左から右に向かって順に、第１コンタクトピンＢ１（ＧＮＤ），第２コンタクトピンＢ２（ＴＸ＋），第３コンタクトピンＢ３（ＴＸ−），第４コンタクトピンＢ４（ＶＢＵＳ），第５コンタクトピンＢ５（ＣＣ），第６コンタクトピンＢ６（Ｄ＋），第７コンタクトピンＢ７（Ｄ−），第８コンタクトピンＢ８（ＲＦＵ），第９コンタクトピンＢ９（ＶＢＵＳ），第１０コンタクトピンＢ１０（ＲＸ−），第１１コンタクトピンＢ１１（ＲＸ＋），第１２コンタクトピンＢ１２（ＧＮＤ）が配置されている。
【００４７】
このように、ピン保持板２５に設けられた複数の上面側コンタクトピン７０Ａおよび複数の下面側コンタクトピン７０Ｂは、上面側コンタクトピン７０Ａの並列順と下面側コンタクトピン７０Ｂの並列順とがピン保持板２５の仮想中心２５Ｃを中心として点対称となるように配置されている。これにより、第一コネクタ２１は、上下（天地）の区別なく、接続先であるレセプタクルに差し込むことが可能となっている。
【００４８】
第二コネクタ２２のコネクタプラグ２４においても、上面側コンタクトピン７０Ａおよび下面側コンタクトピン７０Ｂの並列順は図６に示される第一コネクタ２１のコネクタプラグ２４が備えるコンタクトピン７０Ａ，７０Ｂと同様である。すなわち、第二コネクタ２２に備わるコネクタプラグ２４をケーブル１１とは反対側から見ると（図１の矢視Ｄ）、ピン保持板２５の上面２５Ａ側には、右から左に向かって順に、第１コンタクトピンＡ１〜第１２コンタクトピンＡ１２が配置され、ピン保持板２５の下面２５Ｂ側には、上面側コンタクトピン７０Ａの並列順とは逆に左から右に向かって順に、第１コンタクトピンＢ１〜第１２コンタクトピンＢ１２が配置されている。これにより、第二コネクタ２２についても、第一コネクタ２１と同様に上下（天地）の区別なく、レセプタクルに差し込むことが可能となっている。また、第一基板２３Ａと第二基板２３Ｂとにそれぞれ接続されるコネクタプラグ２４を同一のものとすることができるため、一端側と他端側の区別なく第一コネクタ２１および第二コネクタ２２を同一構成のレセプタクルに接続することができる。
【００４９】
以上、説明した本実施形態にかかるコネクタ付きケーブル１０によれば、第一および第二基板２３Ａ，２３Ｂのケーブル１１側の接続端子３０Ａ，３０Ｂは、第一基板２３Ａの接続端子３０Ａ，３０Ｂの並列順と第二基板２３Ｂの接続端子３０Ａ，３０Ｂの並列順とが電線１５，５０を挟んで鏡面対称となるように、並列配置されているため、電線１５，５０の両端を第一基板２３Ａと第二基板２３Ａ，２３Ｂとにそれぞれ接続する際に、電線１５，５０を交差させて配線する必要がない。そのため、製造が容易で生産性に優れたコネクタ付きケーブル１０を提供することができる。また、本実施形態によれば、複数本の同軸電線１５間の線長差が生じることがないため、差動信号伝送を行う各電線対１５Ａ〜１５Ｄ内におけるスキューの発生を防止することができる。
【００５０】
以上、本発明をその実施形態を用いて説明したが、本発明の技術的範囲は上記実施形態に記載の範囲には限定されない。上記実施形態に多様な変更または改良を加えることができることは、当業者にとって明らかである。
【００５１】
例えば、上記実施形態のコネクタ付きケーブル１０では、ケーブル１１の両端に取り付けられている第一コネクタ２１のコネクタプラグ２４と第二コネクタ２２のコネクタプラグ２４とが同一形状である場合について説明したが本発明はこれに限られない。例えば、ケーブル１１に収容される電線１５，５０を交差することがないように第一コネクタ２１および第二コネクタ２２と接続することができれば、両端のコネクタプラグが異なる形状の第一コネクタ２１，第二コネクタ２２を電線１５，５０の両端に取り付けても良い。
【符号の説明】
【００５２】
１０：コネクタ付きケーブル
１１：ケーブル
１２：シース
１３：シールド
１４：押さえ巻
１５：同軸電線
１６：中心導体
１７：絶縁体
１８：外部導体
１９：外被
２０：コネクタ
２１：第一コネクタ
２２：第二コネクタ
２３Ａ：第一基板
２３Ｂ：第二基板
２４：コネクタプラグ
２４Ａ：金属シェル
２５：ピン保持板
２６：第一樹脂層
２７：第二樹脂層
２８：第三樹脂層
２９：ストレインリリーフ
３０Ａ：上面側接続端子
３０Ｂ：下面側接続端子
５０：絶縁電線
５１：中心導体
５２：外被
６０Ａ：上面側接続端子
６０Ｂ：下面側接続端子
６５：電気回路
７０Ａ：上面側コンタクトピン
７０Ｂ：下面側コンタクトピン
【図１】
0006332222.tif 000002
【図２】
0006332222.tif 000003
【図３】
0006332222.tif 000004
【図４】
0006332222.tif 000005
【図５】
0006332222.tif 000006
【図６】
0006332222.tif 000007